【事件の表示】
　特許第３２７７５６５号「バッテリー保護回路」の請求項１ないし７に係る特許に対する特許異議の申立てについて、次のとおり決定する。
【結　論】
　訂正を認める。
　特許第３２７７５６５号の請求項１ないし２、４ないし６に係る特許を取り消す。
　同請求項３に係る特許を維持する。
【理　由】
 １．手続の経緯
   本件特許第３２７７５６５号の発明についての出願は、平成４年９月１７日に出願され、平成１４年２月１５日にその発明についての設定の登録がなされ、その後、黒澤裕子、清水信子、藤野研治より特許異議の申立がなされ、取消理由が通知され、その指定期間内である平成１５年３月３１日に訂正請求がなされたものである。
　
２．訂正の適否の検討
２．１　訂正の内容
ａ．特許請求の範囲の請求項１を次のとおり訂正する。
 【請求項１】　直列接続した複数の二次電池と、該電池のそれぞれの電圧を検出すると共に、該検出電圧と基準電圧とを比較して上記それぞれの二次電池の過放電状態又は過充電状態を検知する状態検知手段と、放電電流又は充電電流を遮断するための第一及び第二のスイッチ手段と、上記状態検知手段の検知結果に基づいて上記第一及び第二のスイッチ手段の導通及び非導通を制御する制御手段とを備えたバッテリー保護回路において、
少なくとも上記状態検知手段に供給する電源を遮断するためのパワーダウンスイッチ手段と、上記状態検知手段により１又は全ての上記二次電池の過放電状態が検知された場合に上記パワーダウンスイッチ手段を非導通状態にするパワーダウン手段とを備えたことを特徴とするバッテリー保護回路。
ｂ．特許請求の範囲の請求項３ないし７を次のとおり訂正する。
　【請求項３】　いずれかの上記二次電池が過充電状態の場合は、上記パワーダウンスイッチ手段が非導通状態にならないようにするパワーダウン禁止手段を備えたことを特徴とする請求項１に記載のバッテリー保護回路。
　【請求項４】　瞬間的に大電流が流れた場合には、上記パワーダウンスイッチ手段が非導通状態にならないように、バッテリー電圧の検出端子電圧が過放電検出電圧以下になるのを防止する電圧降下防止手段を備えたことを特徴とする請求項１に記載のバッテリー保護回路。
　【請求項５】　複数の上記二次電池の過充放電用の電池バランスを取る手段を備えたことを特徴とする請求項１に記載のバッテリー保護回路。
　【請求項６】　充電用の端子と放電用の端子とを分離したことを特徴とする請求項１に記載のバッテリー保護回路。
ｃ．明細書の【課題を解決するための手段】の段落０００９及び００１０を訂正する。（記載省略）
ｄ．特許明細書の段落００８７の記載を訂正する。（記載省略）
　
２．２　訂正の目的の適否、新規事項の有無、及び特許請求の範囲の拡張・変更の存否
  上記訂正事項ａは特許明細書の特許請求の範囲の請求項３に係る発明の構成を請求項１に付加したものであり、特許請求の範囲の減縮を目的とした明細書の訂正に該当し、又、訂正事項ｂは、訂正事項ａによって付随的に生じる記載の不備を解消するもの（上記請求項３の削除等）であって、明りょうでない記載の釈明を目的とした明細書の訂正に該当し、訂正事項ｃ．は特許請求の範囲の訂正に対応して発明の詳細な説明の記載を訂正するもので、明りょうでない記載の釈明を目的とした明細書の訂正に該当し、訂正事項ｄ．は誤記の訂正を目的とした明細書の訂正に該当するものと認められ、いずれも新規事項の追加に該当せず、実質上特許請求の範囲を拡張し、又は変更するものではない。
　
２．３　むすび
　 以上のとおりであるから、上記訂正は、特許法等の一部を改正する法律（平成６年法律第１１６号）附則第６条第１項の規定によりなお従前の例によるとされる、平成１１年改正前の特許法第１２０条の４第３項において準用する平成６年改正法による改正前の特許法第１２６条第１項ただし書、第２項及び第３項の規定に適合するので、当該訂正を認める。
　
３．特許異議申立の概要
３．１　申立人黒澤裕子は、下記の甲第１、２号証に記載された発明により、請求項１ないし７に係る発明の特許は、特許法第２９条第２項に違反してなされたものであるから取消すべき旨主張している。
  （ａ）甲第１号証（取消理由通知における刊行物１）：特開平４−７５４３０号公報
　甲第１号証には、取消理由通知で指摘した事項によれば、以下の発明（以下、「引用発明１」という。）が記載されているものと認められる。
  「 直列接続された複数の充電可能な電池と、内部に寄生ダイオードを有する第１および第２のスイッチ素子が直列接続されたスイッチ手段と、
　前記電池の両端電圧を検出して前記スイッチ手段を制御する制御手段とを備え、
　前記制御手段は、前記電池の電圧が充電可能電圧の近傍の第１の電圧より下がったとき前記第１のスイッチ素子を導通させ、前記電池の電圧が前記充電可能電圧の近傍であって前記第１の電圧より高い第２の電圧より上がったとき前記第１のスイッチ素子を非導通状態にし、前記電池の電圧が放電可能電圧の近傍の第３の電圧より上がったとき前記第２のスイッチ素子を導通させ、前記電池の電圧が前記放電可能電圧の近傍であって、前記第３の電圧よりも低い第４の電圧より下がったとき前記第２のスイッチ素子を非導通状態にする充電式電池の電源装置。」
　
　（ｂ）甲第２号証（取消理由通知における刊行物２）：特開平４−　４７３２号公報
　甲第２号証には、取消理由通知で指摘した事項によれば、以下の発明（以下、「引用発明２」という。）が記載されているものと認められる。
  「バッテリの電圧を検出する電圧検出器と、直流電源のオン時にこの直流電源の電圧を負荷と上記電圧検出器とに供給する第１の電圧供給手段と、上記直流電源のオフ時に上記バッテリから上記負荷及び上記電圧検出器に供給する電圧を得る第２の電圧供給手段と、該第２の電圧供給手段から供給される電圧の上記負荷及び電圧検出器への供給を上記電圧検出器の検出出力に応じて制御するように成され、上記直流電源のオフ時に上記バッテリの電圧低下が検出されたとき上記電圧の供給を停止する制御手段とを備えたバッテリの充電制御回路。」  
  又、２頁右下欄には、「この電圧検出器９の出力段トラジスタのＯＦＦ状態は、再度、直流電源１をＯＮすることにより、バッテリ５が充電されて、その起電力が上昇することにより解除される。」と記載されている。
　
３．２　申立人清水信子は、 下記の甲第１、２号証に記載された発明により、請求項１、２に係る発明の特許は、特許法第２９条第２項に違反してなされたものであるから取消すべき旨主張している。
  （ｃ）甲第１号証：特開平４−７５４３０号公報（上記３．１（ａ）の甲第１号証と同じ）
　（ｄ）甲第２号証：特開平２−１６４２２４号公報
  この公報には、「２次電池から負荷への給電を制御する第１のスイッチ素子と、第１のスイッチ素子のオン、オフを制御するとともに電池電圧が所定電圧以下になったことを検出して第１のスイッチ素子をオフするスイッチ制御回路とを具備した給電制御回路において、スイッチ制御回路への給電を制御する第２のスイッチ素子を設け、電池電圧が所定電圧以下になって第１のスイッチ素子がオフされたときに第２のスイッチ素子をオフにしてスイッチ制御回路への給電を停止するようにしたことを特徴とする給電制御回路。」の発明が記載されている。
　
３．３　申立人藤野研治は、下記の甲第１、２号証に記載された発明により、請求項１ないし７に係る発明の特許は、特許法第２９条第２項に違反してなされたものであるから取消すべき旨主張している。
  （ｅ）甲第１号証：特開平４−７５４３７号公報
　この公報には、充電回路と、この充電回路の出力に第１のスイッチ手段を介して並列接続され、負荷に対しては第２のスイッチ手段を介して並列接続された蓄電池と、上記第１のスイッチ手段を介して上記蓄電池に並列接続され、上記蓄電池の電圧が一定以下になると上記第１、第２のスイッチ手段をオフさせる電圧検出器とを備えたことを特徴とする電源装置。」の発明が記載されている。
　（ｆ）甲第２号証：特開平２−２９９４２９号公報
  この公報には、「検出電圧と基準電圧とを比較して二次電池の過放電状態又は過充電状態を検知する状態検知手段」について記載されている。
４．本件発明
　上記のとおり訂正が認められたから、本件請求項１、３ないし６に係る発明は、上記２．１ａ，ｂに記載のとおりであり、又、請求項２に係る発明は特許明細書に記載の以下のとおりである。（以下、各請求項に係る発明を「本件発明１ないし６」という。）
　
【請求項２】　過放電状態から再び充電が開始された場合に上記パワーダウンスイッチ手段を非導通状態から導通状態に復帰させるパワーダウン解除手段を備えたことを特徴とする請求項１に記載のバッテリー保護回路。
　
５．対比・判断
５．１   本件発明１について
　本件発明１と、取消理由通知で提示した刊行物１に記載の発明（引用発明１，異議申立人黒澤裕子の提示した甲第１号証）を対比すると、引用発明１の「充電可能な電池」、「制御手段」は本件発明１の「二次電池」、「状態検知手段」及び「制御手段」に相当し、引用発明１の「充電装置」は過放電または過充電を防止するための回路すなわち、過放電または過充電から保護する回路であるから本件発明１の「バッテリー保護回路」に相当するから、両者は「直列接続した複数の二次電池と、該電池の電圧を検出すると共に、該検出電圧と基準電圧とを比較して上記それぞれの二次電池の過放電状態又は過充電状態を検知する状態検知手段と、放電電流又は充電電流を遮断するための第一及び第二のスイッチ手段と、上記状態検知手段の検知結果に基づいて上記第一及び第二のスイッチ手段の導通及び非導通を制御する制御手段とを備えたバッテリー保護回路。」で一致し、以下の点で相違する。
【相違点１】
　本件発明１が、「電池のそれぞれの電圧を検出すると共に、該検出電圧と基準電圧とを比較して上記それぞれの二次電池の過放電状態又は過充電状態を検知する状態検知手段」を備えているのに対し、引用発明１は複数の電池の全体の電圧を検出すると共に、該検出された電圧により過放電状態又は過充電状態を検知している点。
【相違点２】
　本件発明１が、「少なくとも上記状態検知手段に供給する電源を遮断するためのパワーダウンスイッチ手段と、上記状態検知手段により１又は全ての上記二次電池の過放電状態が検知された場合に上記パワーダウンスイッチ手段を非導通状態にするパワーダウン手段」とを備えているのに対し、引用発明１はこのような手段を備えていない点。
　
　上記相違点について検討する。
【相違点１について】
　複数の二次電池を直列に接続した回路において、それらの合計の電池電圧で充放電制御を行うと、各電池の劣化速度、充放電特性等の違いによって各電池電圧にバラツキが生じ、場合によっては過充電、過放電等の原因になるために、各二次電池の電圧を検出するとともに、基準値等と比較することは、普通に行われていることである（例えば、特開昭５８−２９３３７号公報、実願平１−４３８４８号（実開平２−１３６４４５号）のマイクロフィルム、特開平３−１７３３２３号公報等参照のこと）ので、引用発明１においても、その直列接続された複数の充電可能な電池（二次電池）の電圧を検出し、該電圧と基準電圧（第１〜第４の電圧）とを比較して過充電あるいは過放電による異常か否かを判断し、該判断に応じて第１または第２のスイッチを制御する際、上記周知技術のように前記充電可能な電池のそれぞれの電圧を検出して用いるように構成することは、当業者が必要に応じて適宜実施しうる程度のことにすぎないと認められる。
　　                                        
【相違点２について】
　引用発明２は、バッテリの充放電回路において、バッテリから負荷及び電圧検出器へ電圧を供給する第２電圧供給手段と、該第２電圧供給手段を制御する制御手段を設け、直流電源ＯＦＦ時にバッテリの電圧低下が検出されたときバッテリから負荷及び電圧検出器に電圧を供給するのを停止する点を備えており、この構成は本件発明１のパワーダウンスイッチ手段およびパワーダウンスイッチ手段を非導通状態にするパワーダウン手段に相当することは明かである。そして、電池の電流を不必要に消耗しないようにパワーダウンスイッチを設けることは、上記異議申立人の証拠（上記３．２（ｄ）、３．３（ｅ）参照）に見られる如く普通に行われていることであるから、引用発明１に上記引用発明２の構成を適用することは、当業者が容易に考えられるものと認められる。
　
５．２　本件発明２について
   本件発明２と、引用発明１を対比すると、本件発明１と引用発明１との対比における相違点の他に、本件発明２が「過放電状態から再び充電が開始された場合に上記パワーダウンスイッチ手段を非導通状態から導通状態に復帰させるパワーダウン解除手段」を備えているのに対し、引用発明１は、このような構成を備えていない点で相違する。
　しかしながら、取消理由通知で提示した刊行物２には、「この電圧検出器９の出力段トランジスタのＯＦＦ状態は、再度、直流電源１をＯＮすることにより、バッテリ５が充電されて、その起電力が上昇することにより解除される。」と記載されており、この「再度、直流電源１をＯＮすることにより、バッテリが充電されて」は、「再び充電が開始される」ことであるから、この点も含めると引用発明２は、本件発明２のパワーダウン解除手段に相当する手段を備えていることは明らかである。
　したがって、引用発明２を引用発明１に適用する際、該手段も共に適用することは、適宜実施しうる程度のことにすぎない。
　
５．３　本件発明３について
   本件発明３と、引用発明１を含む異議申立人の提示した全証拠とを対比すると、各証拠には本件発明３を特定する事項である「いずれかの上記二次電池が過充電状態の場合は、上記パワーダウンスイッチ手段が非導通状態にならないようにするパワーダウン禁止手段を備えたこと」を備えておらず、かつ、各証拠の記載からみて、自明のこととも認められない。
　そして、本件発明３は、「【０１０４】　電池ＡｂａｔとＢｂａｔとからなるバッテリーのバランスが極端に相違して片方の電池は過充電状態（例えば、充電後、オーバーフロー放電中）の時は、他方の電池が過放電状態になってもナンドゲートＧ４によりパワーダウンモードに入るのを禁止する。従って、もしオーバーフロー放電の時にオフされることによって、過放電状態のままで放置されることを未然に防止してバッテリーを保護できる。」との特許明細書に記載のとおりの、異議申立人の提示した各証拠に記載の発明によっては生じ得ない効果が、得られるものと認められる。
　
５．４　本件発明４について
　本件発明４と引用発明１を対比すると、本件発明１と引用発明１との対比における相違点の他に、本件発明４が「瞬間的に大電流が流れた場合には、上記パワーダウンスイッチ手段が非導通状態にならないように、バッテリー電圧の検出端子電圧が過放電検出電圧以下になるのを防止する電圧降下防止手段」を備えているのに対し、引用発明１がこのような手段を備えていない点で一応相違する。
　しかしながら、バッテリにおいて、大電流の放電時は、バッテリの端子電圧が異常に低下すると共にバッテリにとって過負荷状態となるので、過電流保護回路等を設けて該大電流を遮断することは慣用手段にすぎない。（なお、バッテリの端子電圧の電圧降下分は、放電時の電流にほぼ比例することは自明の現象である。）
　　そして、上記大電流を遮断することにより、バッテリの端子電圧は、大電流に比例した大きな電圧降下分低下していた状態から復旧し、すなわち検出電圧（端子電圧）が異常に低下する状態を防止でき、検出電圧が過放電時のような低電圧より低下しないようになることも明かである。
　したがって、引用発明１及び引用発明２から構成し得る発明においても、周知の過電流保護回路等を設けることにより、本件発明４の「電圧降下防止手段」と同等の機能を付加し得ることは、当業者が当然実施しうることにすぎない。
 
５．５　本件発明５について
   本件発明５と引用発明１を対比すると、本件発明１と引用発明１との対比における相違点の他に、本件発明５が「複数の上記二次電池の過充放電用の電池バランスを取る手段」を備えているのに対し、引用発明１がこのような手段を備えていない点で一応相違する。
　しかしながら、複数の二次電池に充電する装置において、過充放電用の電池バランスを取る手段を備えることは、取消理由通知において例示したように周知のことにすぎない（更に、上記５．１【相違点１について】で掲げた周知例も容量のバランスを取るために各電池電圧を測定することに他ならない。）ので、引用発明１に引用発明２の構成を設ける際、このような周知の手段を設けることも適宜実施しうる程度のことにすぎない。
　
５．６　本件発明６について
　本件発明６と引用発明１を対比すると、本件発明１と引用発明１との対比における相違点の他に、本件発明６が「充電用の端子と放電用の端子とを分離した」との構成を備えているのに対し引用発明１がこのような構成を備えていない点で一応相違する。
　しかしながら、二次電池の充放電装置において、「充電用の端子と放電用の端子とを分離した」構成は周知のものであり、引用発明１及び２から構成される装置においてもこのようの構成を適用することは、適宜実施しうることにすぎない。
  以上のように本件発明１ないし２，４ないし６は、引用発明１，２及び周知技術に基づいて、当業者が容易に発明をすることができたものである。
　
６．むすび
　  以上のとおりであるから、本件発明１ないし２，４ないし６は、特許法第２９条第２項の規定により特許を受けることができない。
　したがって、本件発明１ないし２，４ないし６についての特許は、拒絶の査定をしなければならない特許出願に対してされたものと認める。
　また、本件発明３については、その特許を取消すべき理由を発見しない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年５月３０日（２００３．５．３０）
【訂正の要旨】
審決（決定）の【理由】欄参照。
（５４）【発明の名称】
バッテリー保護回路
（５７）【特許請求の範囲】
　【請求項１】　
直列接続した複数の二次電池と、該電池のそれぞれの電圧
上記それぞれの二次電池
１又は全ての上記二次電池の過放電状態が検知された場合に
　【請求項２】　過放電状態から再び充電が開始された場合に上記パワーダウンスイッチ手段を非導通状態から導通状態に復帰させるパワーダウン解除手段を備えたことを特徴とする請求項１に記載のバッテリー保護回路。
　【請求項３】　
いずれかの上記二次電池が過充電状態の場合は、上記パワーダウンスイッチ手段が非導通状態にならないようにするパワーダウン禁止手段を備えたことを特徴とする請求項１に記載のバッテリー保護回路。
　【請求項４】　
瞬間的に大電流が流れた場合には、上記パワーダウンスイッチ手段が非導通状態にならないように、バッテリー電圧の検出端子電圧が過放電検出電圧以下になるのを防止する電圧降下防止手段を備えたことを特徴とする請求項１に記載のバッテリー保護回路。
　【請求項５】　
複数の上記二次電池の過充放電用の電池バランスを取る手段を備えたことを特徴とする請求項１に記載のバッテリー保護回路。
　【請求項６】　
充電用の端子と放電用の端子とを分離したことを特徴とする請求項１に記載のバッテリー保護回路。
【発明の詳細な説明】
　【０００１】
　【産業上の利用分野】
　本発明は、二次電池の過充電及び過放電を防止するための、所謂バッテリー保護回路に関するものである。
　【０００２】
　【従来の技術】
　複数本の電池を直列に接続したバッテリーパックにおいては、直列に接続されたトータルの電圧を基準に過充電や過放電を検出した充電器や、負荷側をオン／オフすることによってバッテリーの消費を防止していた。
　【０００３】
　また、バッテリーの保護機能はバッテリー側ではなく、充電器や負荷側に設けられており、該充電器や負荷側が異常な過充電や過大電流が生じたときは、バッテリー又はバッテリーパック内に備えてあるサーモスタット等の温度による検出によって電源供給をオン／オフしている。
　【０００４】
　しかし、上記方法では、特に複数の電池から構成されたバッテリーにおいては、夫々の電池の特性が揃っていない場合は、特定の電池のみ過充電や過放電状態となる恐れがあり、特に過放電及び過充電での性能の劣化が大きい電池には、実質的に使用できない。
　【０００５】
　そこで、同一出願による先願発明（特願平３−２１３０１９号明細書）が提案された。この先願発明においては、直列接続された二次電池が充電及び放電を繰り返す過程において、個々の構成する電池の個体差により、電池の容量バランスが崩れてきても、そのバランスを復活する機能を有する電池容量バランス回路を充放電回路に設けて過充電及び過放電を防止する方法である。
　【０００６】
　この、電池容量バランス回路は、基本的に電池を保護する回路から構成されており、それは過充電の検出、充電電流のオフ、オーバーフローの検出、過放電の検出、放電電流のオフ、ヒステリシス、過電流の検出等の回路群から構成してバッテリーの保護をする方法である。
　【０００７】
　【発明が解決しようとする課題】
　しかしながら、前記先願発明においては、例え電池の過放電、過充電を検出しても、過放電検出後における回路群には電流が流れており、常時消費電流が生じているという問題点があった。
　【０００８】
　従って、バッテリーの過放電、過充電を検出する回路群と共に、過放電を検出後に回路に流れる電流を出来る限り少なくして放電をできるかぎり抑制して電池を保護することに解決しなければならない課題を有している。
　【０００９】
　【課題を解決するための手段】
　前記課題を解決する具体的手段として本発明は、
直列接続した複数の二次電池と、該電池のそれぞれの電圧
上記それぞれの二次電池
１又は全ての上記二次電池の過放電状態が検知された場合に
　【００１０】
　そして、過放電状態から再び充電が開始された場合に上記パワーダウンスイッチ手段を非導通状態から導通状態に復帰させるパワーダウン解除手段を備えたこと；
いずれかの上記二次電池が過充電状態の場合は、上記パワーダウンスイッチ手段が非導通状態にならないようにするパワーダウン禁止手段を備えたこと；瞬間的に大電流が流れた場合には、上記パワーダウンスイッチ手段が非導通状態にならないように、バッテリー電圧の検出端子電圧が過放電検出電圧以下になるのを防止する電圧降下防止手段を備えたこと；複数の上記二次電池の過充放電用の電池バランスを取る手段を備えたこと；充電用の端子と放電用の端子とを分離したことを特徴とするバッテリー保護回路を提供するものである。
　【００１１】
　【作用】
　本発明に係るバッテリー保護回路は、過放電の際にパワーダウンモードにすることによって、回路で消費する電流を極端に少なくすることと共に、パワーダウンモードから復帰でき、並びに直列につながれた二次電池の場合に一つ又は全ての二次電池の過放電を検出することでパワーダウンモードにすることによって、各電池のバランスを過充電側や過放電側で適宜とること、及びパワーダウンモードの時に二次電池が０Ｖであっても充電が可能となる。
　【００１２】
　【実施例】
　本発明に係るバッテリー保護回路について、図を参照にして詳細に説明する。図１は本発明に係る第１実施例のバッテリー保護回路の概略を示すブロック図であり、該ブロック図において、１はバッテリー保護回路であり、該バッテリー保護回路１は、検出部２と、制御部３と、復帰部４と、パワーダウンＳＷ部５と、充放電スイッチ部６と、から構成され、複数のバッテリーであるところの電池Ａｂａｔ、Ｂｂａｔの充放電制御を行うものである。
　【００１３】
　検出部２は、電池電圧検出部７と過電流検出部８とから構成され、電池電圧検出部７は電池Ａｂａｔ、Ｂｂａｔの各電圧より過充電（Ａ、Ｂ）及び過放電（Ａ、Ｂ）状態を検出すると共に、過電流検出部８では過電流状態の検出を行う。
　【００１４】
　制御部３は、放電系制御ロジック部９及び放電ＳＷ制御部１０と、ＧＮＤレベルシフト部１１と、充電系制御ロジック部１２及び充電ＳＷ制御部１３とから構成されている。
　【００１５】
　制御部３の放電系制御ロジック部９及び放電ＳＷ制御部１０は、検出部２の電池電圧検出部７で検出した電池Ａｂａｔ、Ｂｂａｔの充放電状態や過電流検出部８からの過電流信号の状態から、電池電圧検出部７ヘオーバーフロー電流信号、後述する充放電スイッチ部６へは放電スイッチ信号、復帰部４へはパワーダウン信号を出力する。
　【００１６】
　又、放電系制御ロジック部９及び放電ＳＷ制御部１０からのグランド信号はＧＮＤレベルシフト部１１を介して充電系制御ロジック部１２及び充電ＳＷ制御部１３に入力される。
　【００１７】
　制御部３のＧＮＤレベルシフト部１１は、放電系制御ロジック部９及び放電ＳＷ制御部１０の放電スイッチと、充電系制御ロジック部１２及び充電ＳＷ制御部１３の充電スイッチのグランド（ＧＮＤ）が異なるため、夫々のグランド電位を一定の基準に定めるものである。
　【００１８】
　制御部３の充電系制御ロジック部１２及び充電ＳＷ制御部１３は、電池状態、充電検出（起動回路）等から充放電スイッチ部６の制御、復帰部４に対してパワーダウン解除信号の出力等を行う。パワーダウン解除信号は、電池電圧が所定電圧値以上になると、所謂パワーダウンモードから脱出する。
　【００１９】
　復帰部４は、パワーダウン制御部１４と起動回路充電検出部１５とから構成され、パワーダウン制御部１４は、放電系制御ロジック部９及び充電系制御ロジック部１２からのパワーダウン信号を後述するパワーダウンＳＷ部５に送り、起動回路充電検出部１５は、自動又は手動により充電を開始させるものである。
　【００２０】
　パワーダウンＳＷ部５は、パワーダウン制御部１４からのパワーダウン信号を検出部２及び制御部３に送り、電源をオフにしてパワーダウンモードにする。
　【００２１】
　充放電スイッチ部６は、制御部３の放電ＳＷ制御部１０及び充電ＳＷ制御部１３からの制御に基づいて電池Ａｂａｔ、Ｂｂａｔの充電及び放電の制御を行うものである。
　【００２２】
　次に、図１のブロック図に基づいて放電時と、充電時における概ねの動作を説明する。
［１］　放電時
　複数の電池Ａｂａｔ、Ｂｂａｔとから構成されたバッテリーにおいて、検出部２の電池電圧検出部７は常時電池Ａｂａｔ及び電池Ｂｂａｔとの放電状態を監視していて、該電池Ａｂａｔ又は電池Ｂｂａｔのいずれかが過放電状態になると過放電（Ａ）信号または過放電（Ｂ）信号を制御部３の放電系制御ロジック部９に送出し、放電系制御ロジック部９の制御により放電ＳＷ制御部１０によって充放電スイッチ部６の放電スイッチをオフする。
　【００２３】
　充放電スイッチ部６の放電スイッチをオフすることによって、過放電以外の電池をオーバーフロー放電するように制御し、この状態の時、例えば電池Ａｂａｔ、Ｂｂａｔとから構成されているバッテリーの場合に、電池Ａｂａｔ、Ｂｂａｔ共に過放電の状態になればパワーダウンモードに入る。
　【００２４】
　尚、パワーダウンモードになるのは、電池Ａｂａｔ、Ｂｂａｔのいずれかが過放電状態になった場合でも良い。即ち、電池Ａｂａｔ、Ｂｂａｔとから構成されたバッテリーであれば、電池Ａｂａｔ、又は電池Ｂｂａｔのいずれかが過放電となった場合にパワーダウンモードに入る。
　【００２５】
　又、放電時において、所定値からなる過大電流が所定時間流れたことを検出部２の過電流検出部８によって検出した場合には、制御部３の放電ＳＷ制御部１０によって充放電スイッチ部６の放電スイッチをオフする。尚、瞬間的な大電流によって、過放電、過電流の状態が所定時間以内であればパワーダウンモードにならない。
　【００２６】
［２］　充電時
　電池Ａｂａｔ、又は電池Ｂｂａｔから構成されたバッテリーにおいて、電池Ａｂａｔ、又は電池Ｂｂａｔが過充電状態になったことを検出部２の電池電圧検出部７が検出すると、過充電（Ａ）信号または過充電（Ｂ）信号を制御部３の充電系制御ロジック部１２に送出し、充放電スイッチ部６の充電スイッチをオフする。同時に図示していないが、オーバーフロー回路により過充電状態となった電池を放電させる。
　【００２７】
　ここで、パワーダウンモード時からの充電の場合は、復帰部４の起動回路充電検出部１５からの充電検出信号に基づいて、制御部３の充電ＳＷ制御部１３の制御により強制的に充電動作を行い、又強制的にパワーダウンモードを解除しトータル電池電圧が上昇し、所定電圧値以上になったことを電池電圧検出部２が検出すれば、パワーダウン解除信号を復帰部４のパワーダウン制御部１４に送出して、パワーダウンモードから抜け出す、即ち過放電状態を脱出して、正常充電状態となる。尚、電池Ａｂａｔ、又は電池Ｂｂａｔの片方が過放電状態であっても、他方が過充電状態であればパワーダウンモードには入らず、過充電状態が最優先される。
　【００２８】
　次に、電池Ａｂａｔ、Ｂｂａｔから構成されているバッテリーの放電特性とパワーダウンモードについて説明する。即ち、バッテリーの放電特性は、図２に示したように、放電時間の経過と共に電池電圧が放電カーブ１６を描きながら下がり続け、予め所定電圧値に設定されている過放電電圧値１７以下になった状態が過放電状態である。
　【００２９】
　この過放電状態を図１に示した検出部２が検出すれば、充放電スイッチ部６の放電スイッチをオフすることによって負荷に対する放電は無くなり、バッテリーの電圧は過放電領域１８で保持され、その残存容量１９は予め算出することができる。
　【００３０】
　しかし、負荷に対する放電は無くなったとしても、前記図１で示したバッテリー保護回路１にはその後も若干の電流が流れ続ける。従って、放電は進行し続けるので、残存容量１９の放電カーブは放電方向２０となる。
　【００３１】
　そのため考え出されたのがパワーダウンモードであって、過放電状態になったバッテリー保護回路の内、必要とする最小限の回路を除いた回路への電流を遮断する方法である。
　【００３２】
　この、パワーダウンモードを設けることによって、放電カーブは放電方向２１となり、過放電状態になったときの残存容量１９による電圧維持の期間に、パワーダウンモードを設けなかった場合と比較するときわめて大きな差が出る。例えば過放電状態となったときの残存容量１９が３０ｍＡｈ、過放電領域１８において動作をするための回路消費電流が２０μＡ、パワーダウンモードを設けた場合の過放電領域１８において動作するための回路消費電流を１μＡとすれば、以下の表１に示すように電池電圧が過放電領域１８から０Ｖになるまでの時間を大幅に改善することができる。
　【００３３】
　【表１】
　【００３４】
　この表から理解できるように、電池電圧が０Ｖになるまでの時間が１５００時間→３万時間と大幅に改善することができ、実際には電池電圧が下がると消費電流もある程度少なくなるので、更に長期間維持でき、バッテリーが過放電状態となることによって生じる性能劣化を未然に防止することができる。
　【００３５】
　次に本発明に係る第１実施例のバッテリー保護回路について図を参照して説明する。図３は、バッテリー保護回路１の構成を示したものであり、主に５個のコンパレータと複数のスイッチング素子と、複数のゲートとで構成され、これらの接続状態は以下のようになっている。
　【００３６】
　即ち、バッテリー保護回路１が組み込まれたバッテリー構成体は、充電器又は負荷のプラス側と接続するプラス接続端子（Ｅｂ＋）に接続されたヒューズ２３を介して電池Ａｂａｔのプラス側に接続され、該電池Ａｂａｔのマイナス側は電池Ｂｂａｔのプラス側に接続された、所謂直列接続になっている。
　【００３７】
　そして、電池Ｂｂａｔのマイナス側は放電用パワーＮＭＯＳトランジスターＱＤと、充電用パワーＮＭＯＳトランジスターＱＣを介して、充電器又は負荷のマイナス側の接続端子であるマイナス側端子（Ｅｂ−）に接続されている。
　【００３８】
　前記、バッテリー保護回路１は、プラス側端子（Ｅｂ＋）と保護抵抗Ｒ１０を介して端子ＶＤＤに接続され、端子ＣＰＵは抵抗Ｒ１１を介してＮＭＯＳトランジスターＱ１４のドレン端子に接続されている。
　【００３９】
　電池Ａｂａｔのマイナス側と電池Ｂｂａｔのプラス側との接続点は、端子ＶＣに接続され、電池Ｂｂａｔのマイナス側の端子ＣＰＤは抵抗Ｒ１２を介してＰＭＯＳトランジスターＱ１５のドレン端子に接続され、保護抵抗Ｒ１３を介して端子ＶＳＳに接続されている。
　【００４０】
　端子ＶＤＤと端子ＶＣ間には平滑用キャパシターＣＡが介在し、且つ端子ＶＣと端子ＶＳＳ間には平滑用キャパシターＣＢが介在されている。
　【００４１】
　パワーＮチャネルＭＯＳトランジスターＱＤ（以下、パワーＮＭＯＳトランジスターＱＤと云う）は、ソース、ゲート及びドレン端子と寄生ダイオードＤ１を備えたトランジスターであって、ソース端子は電池Ｂｂａｔのマイナス側に接続され、ゲート端子は端子ＤＯに接続され、ドレン端子はパワーＮＭＯＳトランジスターＱＣのドレン端子に接続されている。
　【００４２】
　パワーＮチャネルＭＯＳトランジスターＱＣ（以下、パワーＮＭＯＳトランジスターＱＣと云う）は、ソース、ゲート及びドレン端子と寄生ダイオードＤ２を備えたトランジスターであって、ソース端子はマイナス側端子（Ｅｂ−）に接続され、ゲート端子は端子ＯＶに接続され、ドレン端子はパワーＮＭＯＳトランジスターＱＤのドレン端子に接続されている。そして、マイナス側端子（Ｅｂ−）には保護抵抗Ｒ２２を介して端子ＶＭに接続されている。尚、パワーＮＭＯＳトランジスターＱＤのドレン端子と、パワーＮＭＯＳトランジスターＱＣのソース端子との中間位置からは充電用と放電用とを区別する端子（Ｅｃ−）が接続されていてもよい。
　【００４３】
　パワーダウンスイッチＰＤＳＷ１は、パワーダウン信号により開閉するスイッチであって、その一方の端子を端子ＶＤＤに接続し、他方の端子である接続点ａは、コンパレーターＣＯＭＰ１、２、３、４、５の電源入力端子に接続されている。
　【００４４】
　パワーダウンスイッチＰＤＳＷ２は、パワーダウン信号により開閉するスイッチであって、その一方の端子を端子ＶＣに接続され、他方の端子は、抵抗Ｒ１１の他端に接続している。
　【００４５】
　パワーダウンスイッチＰＤＳＷ３は、パワーダウン信号により開閉するスイッチであって、その一方の端子を端子ＶＳＳに接続され、他方の端子は、抵抗Ｒ１９の他端に接続されている。
　【００４６】
　コンパレーターＣＯＭＰ１は、２個の入力端子と１個の出力端子とから構成され、一方の反転入力端子（以下マイナス側入力端子と云う）は、抵抗Ｒ１４の他端と抵抗Ｒ１５の一端の接続点に接続され、他方の非反転入力端子（以下プラス側入力端子と云う）は、基準電圧Ｅ１（＋１．５Ｖ）のプラス側に接続され、出力端子はノアゲートＧ２の１つの入力端子に接続されている。尚、抵抗Ｒ１４の一端は端子ＶＤＤに、抵抗Ｒ１５の他端は抵抗Ｒ１１の一端とコンパレーターＣＯＭＰ２のプラス側入力端子との接続点に接続され、基準電圧Ｅ１のマイナス側は端子ＶＣに接続されている。
　【００４７】
　コンパレーターＣＯＭＰ２は、２個の入力端子と１個の出力端子とから構成され、一方のマイナス側入力端子は、基準電圧Ｅ１（＋１．５Ｖ）のプラス側に接続され、他方のプラス側入力端子は、抵抗Ｒ１５の他端と抵抗Ｒ１１の一端との接続点に接続され、出力端子はノアゲートＧ８の入力端子及びＮＭＯＳトランジスターＱ１４のゲート端子に接続されている。尚、コンパレーターＣＯＭＰ２のヒステリシススイッチ入力端子は、アンドゲートＧ１の出力端子に接続されている。
　【００４８】
　コンパレーターＣＯＭＰ３は、２個の入力端子と１個の出力端子とから構成され、一方のマイナス側入力端子は、抵抗Ｒ１７の他端と抵抗Ｒ１８の一端との接続点に接続され、他方のプラス側入力端子は、基準電圧Ｅ２（＋１．５Ｖ）のプラス側に接続され、出力端子はノアゲートＧ２の入力端子に接続されている。尚、抵抗Ｒ１７の一端は端子ＶＣに接続され、抵抗Ｒ１８の他端は抵抗Ｒ１９の一端とコンパレーターＣＯＭＰ４のプラス側入力端子に接続されている。
　【００４９】
　コンパレーターＣＯＭＰ４は、２個の入力端子と１個の出力端子とから構成され、一方のマイナス側入力端子は、基準電圧Ｅ２（＋１．５Ｖ）のプラス側に接続され、他方のプラス側入力端子は、抵抗Ｒ１８の他端と抵抗Ｒ１９の一端との接続点に接続され、出力端子はノアゲートＧ８の入力端子及びＰＭＯＳトランジスターＱ１５のゲート端子に接続されている。尚、コンパレーターＣＯＭＰ４のヒステリシススイッチ入力端子は、アンドゲートＧ１の出力端子に接続されている。
　【００５０】
　コンパレーターＣＯＭＰ５は、２個の入力端子と１個の出力端子とから構成され、一方のマイナス側入力端子は、基準電圧Ｅ３（＋０．４Ｖ）のプラス側に接続され、他方のプラス側入力端子は、端子ＶＭに接続され、出力端子は時定数ＣＲを構成する抵抗Ｒ４の他端及びアンドゲートＧ１の入力端子に接続されている。尚、抵抗Ｒ４の一端はノアゲートＧ９の入力端子及びキャパシターＣ２の一端に接続され、キャパシターＣ２の他端は端子ＶＤＤに接続されている。
　【００５１】
　アンドゲートＧ１は、２個の入力端子と１個の出力端子からなるゲートであって、一方の入力端子はコンパレーターＣＯＭＰ５の出力端子に接続され、他方の入力端子はノアゲートＧ２の出力端子に接続され、出力端子はコンパレーターＣＯＭＰ２、４のヒステリシススイッチ入力端子に接続されている。
　【００５２】
　ノアゲートＧ２は、２個の入力端子と１個の出力端子からなるゲートであって、一方の入力端子は、コンパレーターＣＯＭＰ１の出力端子に、他方の入力端子はコンパレーターＣＯＭＰ３の出力端子に接続され、出力端子はアンドゲートＧ１の入力端子、ノットゲートＧ３の入力端子及びＮＭＯＳトランジスターＱ１３のゲート端子に接続されている。
　【００５３】
　ノットゲートＧ３は、その入力端子にはノアゲートＧ２の出力端子に接続され、出力端子はナンドゲートＧ４の入力端子及びノアゲートＧ９の入力端子に接続されている。
　【００５４】
　ナンドゲートＧ４は、２個の入力端子と１個の出力端子を備えているゲートであり、一方の入力端子はノットゲートＧ３の出力端子に接続され、他方の入力端子はノアゲートＧ８の出力端子に接続され、出力端子はパワーダウンラッチ回路のナンドゲートＧ６の入力端子に接続されている。
　【００５５】
　ナンドゲートＧ５は、２個の入力端子と１個の出力端子からなるゲートであって、ナンドゲートＧ６と共にパワーダウンラッチ回路を形成するものであり、一方の入力端子は抵抗Ｒ１の他端に接続され、他方の入力端子はナンドゲートＧ６の出力端子に接続され、出力端子は抵抗Ｒ０の一端に接続され、この出力端子からはパワーダウン信号を発生させる。尚、抵抗Ｒ０の他端は接地され、抵抗Ｒ１の一端は端子ＶＤＤに接続されている。
　【００５６】
　ナンドゲートＧ６は、２個の入力端子と１個の出力端子からなるゲートであって、ナンドゲートＧ５と共にパワーダウンラッチ回路を形成するものであり、一方の入力端子はナンドゲートＧ５の出力端子に接続され、他方の入力端子はナンドゲートＧ４の出力端子に接続され、出力端子はナンドゲートＧ５の入力端子に接続されている。
　【００５７】
　ノットゲートＧ７は、充電ロジックの一要素であり、その入力端子には抵抗Ｒ１を介して端子ＶＤＤに接続され、出力端子はナンドゲートＧ１０の入力端子に接続されている。
　【００５８】
　ノアゲートＧ８は、２個の入力端子と１個の出力端子からなるゲートであって、一方の入力端子はコンパレーターＣＯＭＰ２の出力端子に接続され、他方の入力端子はコンパレーターＣＯＭＰ４の出力端子に接続され、出力端子はナンドゲートＧ４の入力端子及び充電ロジックを構成するＧＮＤレベルシフト部の入力部に接続されている。
　【００５９】
　ノアゲートＧ９は、２個の入力端子と１個の出力端子からなるゲートであって、一方の入力端子はノットゲートＧ３の出力端子に接続され、他方の入力端子は抵抗Ｒ４の一端及びキャパシターＣ２の一端に接続され、出力端子は端子ＤＯを介してパワーＮＭＯＳトランジスターＱＤのゲート端子に接続されている。
　【００６０】
　アンドゲートＧ１０は、２個の入力端子と１個の出力端子からなるゲートであって、一方の入力端子はノットゲートＧ７の出力端子に接続され、他方の入力端子はＧＮＤレベルシフト部２７の出力部に接続され、出力端子はＰＭＯＳトランジスターＱ９、Ｑ１０のゲート端子に接続されている。
　【００６１】
　ＰチャネルＭＯＳトランジスターＱ９（以下、ＰＭＯＳトランジスターＱ９と云う）は、ソース、ゲート、ドレン端子からなるトランジスターであって、ソース端子は端子ＶＤＤに接続され、ゲート端子はナンドゲートＧ１０の出力端子に接続され、ドレン端子はＮＭＯＳトランジスターＱ１０のドレン端子及び端子ＯＶを介してパワーＮＭＯＳトランジスターＱＣのゲート端子に接続されている。
　【００６２】
　ＮチャネルＭＯＳトランジスターＱ１０（以下、ＮＭＯＳトランジスターＱ１０と云う）は、ソース、ゲート、ドレン端子からなるトランジスターであって、ソース端子は端子ＶＭ及び充電ロジックのＧＮＤに接続され、ゲート端子はナンドゲートＧ１０の出力端子に接続され、ドレン端子はＰＭＯＳトランジスターＱ９のドレン端子及び端子ＯＶを介してパワーＮＭＯＳトランジスターＱＣのゲート端子に接続されている。
　【００６３】
　ＮチャネルＭＯＳトランジスターＱ１３（以下、ＮＭＯＳトランジスターＱ１３と云う）は、ソース、ゲート、ドレン端子からなるトランジスターであって、ソース端子は端子ＶＳＳに接続され、ゲート端子はノアゲートＧ２の出力端子に接続され、ドレン端子は抵抗Ｒ５の一端に接続されている。尚、抵抗Ｒ５の他端は端子ＶＭに接続されている。
　【００６４】
　ＮチャネルＭＯＳトランジスターＱ１４（以下、ＮＭＯＳトランジスターＱ１４と云う）は、ソース、ゲート、ドレン端子からなるトランジスターであって、ソース端子は端子ＶＣに接続され、ゲート端子はコンパレーターＣＯＭＰ２の出力端子に接続され、ドレン端子は抵抗Ｒ１１を介して端子ＣＰＵに接続されている。
　【００６５】
　ＰチャネルＭＯＳトランジスターＱ１５（以下、ＰＭＯＳトランジスターＱ１５と云う）は、ソース、ゲート、ドレン端子からなるトランジスターであって、ソース端子は端子ＶＣに接続され、ゲート端子はコンパレーターＣＯＭＰ４の出力端子に接続され、ドレン端子は抵抗Ｒ１２を介して端子ＣＰＤに接続されている。
　【００６６】
　ＧＮＤレベルシフト部２７は、その入力部にはノアゲートＧ８の出力端子に接続され、出力端子はアンドゲートＧ１０の入力端子に接続されている。
　【００６７】
　起動部２８は、入力部には端子ＶＭに接続され、出力部はキャパシターＣ１の一端及び抵抗Ｒ１を介して端子ＶＤＤに接続されている。尚、キャパシターＣ１の他端は接地されている。
　【００６８】
　上記接続状態にあるバッテリー保護回路１における各々の電池Ａｂａｔ、Ｂｂａｔの端子電圧は、コンパレーターＣＯＭＰ１〜４により、基準電圧値Ｅ１、Ｅ（±１．５Ｖ）とラダー抵抗群（Ｒ１４、Ｒ１５、Ｒ１１、Ｒ１７、Ｒ１８、Ｒ１９）を介した検出電圧値とを比較して、過充電や過放電を検出する。即ち、コンパレーターＣＯＭＰ１、ＣＯＭＰ３は正の基準電圧Ｅ１、Ｅ２（＋１．５Ｖ）をプラス側入力端子に入力して基準とし、コンパレーターＣＯＭＰ２、ＣＯＭＰ４は正の基準電圧Ｅ１、Ｅ２（＋１．５Ｖ）をマイナス側入力端子に入力して基準とし、電池Ａｂａｔ、Ｂｂａｔの端子電圧を分圧した検出電圧値と比較している。
　【００６９】
　ここで、直列接続された抵抗Ｒ１４、Ｒ１１、Ｒ１７、Ｒ１８、Ｒ１９からなるラダー抵抗群は、過充電、過放電電圧時に各々が基準電圧Ｅ１、Ｅ２（＋１．５Ｖ）と比較できるよう分圧する抵抗群である。更に、コンパレーターＣＯＭＰ５は、基準電圧値Ｅ３（＋０．４Ｖ）とマイナス側端子（Ｅｂ−）の電圧値とを比較して過電流の検出に使用するものである。
　【００７０】
　次に、本発明にかかる第２実施例は、図４に示すように、過充電と過放電の両方のバランス回路を付加したものであり、前記第１実施例の図３に示した過充電及び過放電検出回路にバランス回路を新たに付加したものである。以下付加された素子の接続状態を説明し、その他の接続状態は図３と同様であるので詳細な説明は省略する。
　【００７１】
　コンパレーターＣＯＭＰ１の出力端子は、アンドゲート１１、ノットゲートＧ１２及びオアゲートＧ２の入力端子に接続されている。
　【００７２】
　コンパレーターＣＯＭＰ２の出力端子は、オアゲートＧ１４及びノアゲートＧ８の入力端子に接続されている。
　【００７３】
　コンパレーターＣＯＭＰ３の出力端子は、オアゲートＧ２及びノットゲートＧ１５の入力端子に接続されている。
　【００７４】
　コンパレーターＣＯＭＰ４の出力端子は、ノアゲートＧ８及びノアゲートＧ１７の入力端子に接続されている。
　【００７５】
　アンドゲートＧ１１は、２個の入力端子と１個の出力端子を備えたゲートであって、一方の入力端子はコンパレーターＣＯＭＰ１の出力端子に接続され、他方の入力端子はコンパレーターＣＯＭＰ３の出力端子に接続され、出力端子はナンドゲートＧ４の入力端子に接続されている。
　【００７６】
　ノットゲートＧ１２は、その入力端子はコンパレーターＣＯＭＰ１の出力端子に接続され、出力端子はアンドゲートＧ１３の入力端子に接続されている。
　【００７７】
　アンドゲートＧ１３は、２個の入力端子と１個の出力端子を備えたゲートであって、一方の入力端子はノットゲートＧ１２の出力端子に接続され、他方の入力端子はコンパレーターＣＯＭＰ３の出力端子に接続され、出力端子はオアゲートＧ１４の入力端子に接続されている。
　【００７８】
　オアゲートＧ１４は、２個の入力端子と１個の出力端子を備えたゲートであって、一方の入力端子はアンドゲートＧ１３の出力端子に接続され、他方の入力端子はコンパレーターＣＯＭＰ２の出力端子に接続され、出力端子はＮＭＯＳトランジスターＱ１４のゲート端子に接続されている。
　【００７９】
　ノットゲートＧ１５は、その入力端子はコンパレーターＣＯＭＰ３の出力端子に接続され、出力端子はアンドゲートＧ１６の入力端子に接続されている。
　【００８０】
　アンドゲートＧ１６は、２個の入力端子と１個の出力端子を備えたゲートであって、一方の入力端子はコンパレーターＣＯＭＰ１の出力端子に接続され、他方の入力端子はノットゲートＧ１５の出力端子に接続され、出力端子はノアゲートＧ１７の入力端子に接続されている。
　【００８１】
　ノアゲートＧ１７は、２個の入力端子と１個の出力端子を備えたゲートであって、一方の入力端子はアンドゲートＧ１６の出力端子に接続され、他方の入力端子はコンパレーターＣＯＭＰ４の出力端子に接続され、出力端子はＭＯＳトランジスターＱ２のゲート端子に接続されている。
　【００８２】
　ＮＭＯＳトランジスターＱ１４は、ソース、ゲート、ドレン端子からなるトランジスターであって、ソース端子は端子ＶＣに接続され、ゲート端子はオアゲートＧ１４の出力端子に接続され、ドレン端子は抵抗Ｒ１２を介して端子ＣＰＵに接続されている。
　【００８３】
　ＰＭＯＳトランジスターＱ１５は、ソース、ゲート、ドレン端子からなるトランジスターであって、ソース端子は端子ＶＣに接続され、ゲート端子はノアゲートＧ１７の出力端子に接続され、ドレン端子は抵抗Ｒ１２を介して端子ＣＰＤに接続されている。
　【００８４】
　このように接続することによって、前記第１実施例と動作的に相違する点は、コンパレーターＣＯＭＰ１、ＣＯＭＰ３による過放電検出によるバランス状態を維持する回路が付加されている。従って、電池Ａｂａｔ、Ｂｂａｔの両方共過放電状態になった時（アンドゲートＧ４の入力条件）にパワーダウンモードに入ることができる。
　【００８５】
　又、実際にパワーダウンモードに入った場合に、コンパレーターＣＯＭＰ１〜５、ラダー抵抗群及び基準電圧のマイナス（グランド）側にパワーダウンスイッチ（ＰＤＳＷ）を設けて電源の供給を遮断する。そして、前記第１実施例と略同一であるので、第１実施例における以下の動作説明によって理解される筈である。
　【００８６】
　次に、このような基準電圧値を基準にしたバッテリー保護回路の動作を項目毎に説明する。
　（１）充電及び過充電の場合。
　充電の場合には、外部の充電器との接続端子又は放電負荷端子となるプラス側端子（Ｅｂ＋）から二次電池Ａｂａｔ、Ｂｂａｔ、パワーＮＭＯＳトランジスターＱＤ、ＱＣを経て、マイナス側端子（Ｅｂ−）へ充電電流が流れる。
　【００８７】
　この充電電流は、電池Ａｂａｔの場合には、コンパレーターＣＯＭＰ２を中心とする過充電検出回路によって、常時過充電電圧（例えば４．４Ｖ
）が監
　【００８８】
　このコンパレーターＣＯＭＰ２からのＨレベル信号は、ノアゲートＧ８を介してＬレベル信号が充電ロジックのＧＮＤレベルシフト部２７の入力部に入力されてグランドレベルシフト（後述する）され、その出力部はＨレベル信号を送出する。
　【００８９】
　一方、起動部２８は、図５に示すように、本発明のバッテリー保護回路１を搭載したバッテリー充電器をセットすることによってスプリング２６により常時外側に機械的に押されているボタン２４が内側に押されることによって接点２５、２５を接続する構造になっている。
　【００９０】
　従って、充電中はセットされた状態であるので端子ＶＭからの信号であるＬレベル信号が、充電回路ロジックのノットゲートＧ７の入力端子に入力され、その出力端子はＨレベル信号になる。そのため、アンドゲートＧ１０の入力条件が満足され、その出力端子はＬレベル信号になりＰＭＯＳトランジスターＱ９をオンし、ＮＭＯＳトランジスターＱ１０をオフすることによってパワーＮＭＯＳトランジスターＱＣをオフし、充電電流は遮断される。
　【００９１】
　この時、コンパレーターＣＯＭＰ２のヒステリシス入力端子の信号は、過電流を検出していなければコンパレーターＣＯＭＰ５の出力端子からの信号は、Ｌレベル信号であるのでアンドゲートＧ１の出力端子の信号はＬレベルの信号である。従って、コンパレーターＣＯＭＰ２、４にヒステリシス幅電圧（例えば０．２Ｖ）の余裕を持たせることによって直ちに再度充電の開始する動作を回避することができる。
　【００９２】
　同時に、コンパレーターＣＯＭＰ２の出力端子からのＨレベルの信号は、ＮＭＯＳトランジスターＱ１４をオンさせることによって、過充電オーバーフロー電流を放電させバッテリーである電池Ａｂａｔを保護する。即ち、ＮＭＯＳトランジスターＱ１４がオンすると、電池Ａｂａｔのプラス側に接続されている端子ＣＰＵを介して抵抗Ｒ１１に電流が流れ、ヒステリシス幅分低い電圧（例えば４．２Ｖ）まで放電する。尚、電池Ｂｂａｔで使用されるコンパレーターＣＯＭＰ４及びＰＭＯＳトランジスターＱ１５等についても同様の機能をするのでその説明を省略する。
　【００９３】
　即ち、充電電流を遮断後、直ちに充電をしないようにヒステリシスを持たせる回路を作動させると共に、過充電オーバーフロー電流を放電させることによって、バッテリー（電池Ａｂａｔ、Ｂｂａｔ）を保護することができる。
　【００９４】
（２）過放電の場合。
　端子（Ｅｂ＋）と端子（Ｅｂ−）とに負荷をつなぐことによって、バッテリー（電池Ａｂａｔと電池Ｂｂａｔ）は放電状態となる。この放電状態は、コンパレーターＣＯＭＰ１及びコンパレーターＣＯＭＰ３を中心とする過放電検出回路によって常時監視されている。以下、電池Ａｂａｔの過放電状態を検出するコンパレーターＣＯＭＰ１を中心に説明する。即ち、放電状態が続き、例えば電池Ａｂａｔの電圧が過放電電圧（例えば２．４Ｖ）になると、基準電圧値Ｅ１（＋１．５Ｖ）と比較され、コンパレーターＣＯＭＰ１の出力端子からはＨレベルの信号が出力する。
　【００９５】
　コンパレーターＣＯＭＰ１の出力端子からのＨレベル信号は、ノアゲートＧ２を介してノットゲートＧ３、及びノアゲートＧ９に入力され、該ノアゲートＧ９の出力信号はＬレベルになって、パワーＮＭＯＳトランジスターＱＤをオフして放電電流を遮断する。
　【００９６】
　一方、ナンドゲートＧ４からのＬレベルの信号（パワーダウン信号）は、パワーダウンラッチ回路のナンドゲートＧ６に入力され、ナンドゲートＧ５、Ｇ６でラッチ状態にして、この状態をホールドすることによってパワーダウン信号がＬレベルになり、パワーダウンモードになる。
　【００９７】
　この、Ｌレベルになったパワーダウン信号は、基準電圧値Ｅ１、Ｅ２、Ｅ３の電源を遮断する。同時に、端子ＶＤＤに接続されているパワーダウンスイッチＰＤＳＷ１を開状態にすることによってコンパレーターＣＯＭＰ１、ＣＯＭＰ２、ＣＯＭＰ３、ＣＯＭＰ４、ＣＯＭＰ５の電源を遮断する。
　【００９８】
　そして、コンパレーターＣＯＭＰ２、４の出力端子からの信号、即ち過充電検出回路からの出力信号はＬレベル信号にしコンパレーターＣＯＭＰ１、ＣＯＭＰ３の過放電出力側をＨレベルにし、且つコンパレーターＣＯＭＰ５の過電流検出信号をＨレベルになる様に回路を切り換え、パワーＮＭＯＳトランジスターＱＤ、ＱＣがオフする。
　【００９９】
　更に、Ｌレベルとなったパワーダウン信号は、端子ＶＣに接続されているパワーダウンスイッチＰＤＳＷ２、端子ＶＳＳに接続されているパワーダウンスイッチＰＤＳＷ３を開状態にして、ラダー抵抗群（抵抗Ｒ１４、Ｒ１５、Ｒ１１、Ｒ１７、Ｒ１８、Ｒ１９）に供給している電源を遮断する。
　【０１００】
　（３）過電流検出の場合。
　過電流の検出はコンパレーターＣＯＭＰ５を中心とした回路によって構成され、基準電圧値Ｅ３（＋０．４Ｖ）と比較して検出する。即ち、パワーＮＭＯＳトランジスターＱＤ及びパワーＮＭＯＳトランジスターＱＣのオン抵抗（例えば合計して１００ｍΩ）による電圧降下で生ずる電位差が基準電圧値Ｅ３（＋０．４Ｖ）を越えると、コンパレーターＣＯＭＰ５の出力端子の信号がＨレベルとなる。
　【０１０１】
　コンパレーターＣＯＭＰ５の出力端子からのＨレベルの信号は、抵抗Ｒ４とキャパシタＣ２によって構成された時定数ＣＲから発生する時間帯（例えば約１．８ｍｓｅｃ）の経過後にノアゲートＧ９を介してパワーＮＭＯＳトランジスターＱＤをオフして放電電流を遮断する。この状態の時、即ち、パワーＮＭＯＳトランジスターＱＤがオフされると、プラス側端子（Ｅｂ＋）とマイナス側端子（Ｅｂ−）に接続されている負荷を介して、端子（Ｅｂ＋）の高い電圧が端子ＶＭの電圧値となる。従って、端子ＶＭに生じた高い電圧値は、ほぼ端子（Ｅｂ＋）に生じている電圧値に近い値となり、コンパレータＣＯＭＰ５の出力側の過電流検出信号をＨレベルにホールドすることができる。
　【０１０２】
　ここで、プラス側端子（Ｅｂ＋）とマイナス側端子（Ｅｂ−）との間に接続されている負荷を外すと、ＮＭＯＳトランジスターＱ１３及び抵抗Ｒ５を介して端子ＶＭの電圧が約０Ｖまで引き下げることによってコンパレーターＣＯＭＰ５の出力端子の過電流検出信号はＬレベルになり過電流状態から復帰することができる。
　【０１０３】
　又、抵抗Ｒ４とキャパシターＣ２とからなる時定数ＣＲは所定の時間（例えば約１．８ｍｓｅｃ）以上の時間を持たせてある。これはコンデンサー負荷等などで瞬間的な大電流が流れた時に、パワーＮＭＯＳトランジスターＱＤをオフさせないために設けたものである。
　【０１０４】
　電池ＡｂａｔとＢｂａｔとからなるバッテリーのバランスが極端に相違して片方の電池は過充電状態（例えば、充電後、オーバーフロー放電中）の時は、他方の電池が過放電状態になってもナンドゲートＧ４によりパワーダウンモードに入るのを禁止する。従って、もしオーバーフロー放電の時にオフされることによって、過放電状態のままで放置されることを未然に防止してバッテリーを保護できる。
　【０１０５】
（４）ヒステリシス解除信号（アンドゲートＧ１の出力信号）。
　過充電状態（例えば、充電直後）で放電すると、パワーＮＭＯＳトランジスターＱＣがオフしているため、放電電流が寄生ダイオードＤ２に流れ、寄生ダイオードＤ２の順方向電圧（例えば約０．７Ｖ）によって、端子ＶＭの電圧が高くなり、過電流検出回路が働いて放電ができなくなる。
　【０１０６】
　そのため、過電流検出回路のコンパレーターＣＯＭＰ５の出力端子の信号がＨレベルになった場合には、コンパレーターＣＯＭＰ２、ＣＯＭＰ４のヒステリシス入力端子にＨレベル信号を入力して強制的にヒステリシスを解除する。ヒステリシスが解除されると、過充電検出が正常状態に戻るのでパワーＮＭＯＳトランジスターＱＤがオンとなり放電が可能となる。
　【０１０７】
　尚、電池Ａｂａｔ又は電池Ｂｂａｔとのどちらかが過放電状態の時は、アンドゲートＧ１によりヒステリシスの解除が禁止される。過放電状態では、放電電流を流すことが出来ないのにヒステリシスを解除するとパワーダウンモードとなってしまい、過充電状態の電池Ａｂａｔ又は電池Ｂｂａｔはオーバーフロー電流がオフとなり、過充電状態のままとなってしまうことを回避してバッテリーを保護するためである。尚、片側が過充電、もう一方が過放電という状態は非常に希なケースである。
　【０１０８】
（５）パワーダウンモード時からの充電。
プラス側端子（Ｅｂ＋）とマイナス側端子（Ｅｂ−）間に充電器をつなぐと両端子間に充電電圧が掛かり、バッテリー電圧（電池Ａｂａｔ、Ｂｂａｔ間電圧）よりも充電電圧が高いのでマイナス側端子（Ｅｂ−）の電圧が電池Ｂｂａｔのマイナス側電圧（ＧＮＤ）より低くなる。パワーダウンモード時は、前記したようにパワーＮＭＯＳトランジスターＱＤとパワーＮＭＯＳトランジスターＱＣとが共にオフの状態となっている。
　【０１０９】
　この状態においては起動部２８のＳＷがオンされノットゲートＧ７の入力がＬレベルとなり、ノットゲートＧ７及びナンドゲートＧ１０でＰＭＯＳトランジスターＱ９がオン、ＮＭＯＳトランジスターＱ１０がオフの状態（後述する図９参照）になり端子ＯＶの電位が端子ＶＤＤを介してプラス側端子（Ｅｂ＋）の電位となり、パワーＮＭＯＳトランジスターＱＣをオンにして充電が開始し充電電流を流すことができる。
　【０１１０】
　ここで、パワーＮＭＯＳトランジスターＱＣがオンするとマイナス側端子（Ｅｂ−）の電圧は上昇しＧＮＤよりも少し低い電圧となる。この電圧は電池Ａｂａｔ、Ｂｂａｔの保持電圧により状況が変化する。即ち、電池Ａｂａｔ、Ｂｂａｔの保持電圧が０Ｖでは、パワーＮＭＯＳトランジスターＱＣのドレーン端子とソース端子間の電圧はパワーＮＭＯＳトランジスターＱＣのゲート端子とソース端子間のカットオフ電圧Ｖｇｓｏｆｆ（例えば２Ｖ）以下にならない。
　【０１１１】
　このことにより、パワーＮＭＯＳトランジスターＱＣは、ゲート電圧が０Ｖ、ソース電圧、即ち端子ＶＭの電圧がマイナスでオンとなり充電電流を流す。この時はパワーＮＭＯＳトランジスターＱＤはオフなので充電電流は、パワーＮＭＯＳトランジスターＱＤの寄生ダイオードＤ１を通り流れることになる。又、充電ロジックのＧＮＤレベルは端子ＶＭの電位となっているので、パワんＭＯＳトランジスターＱＤ、ＱＣで生じる充電による電圧降下分の電圧が充電ロジックの動作用の電圧源となる。
　【０１１２】
　少し充電が進みバッテリーの保持電圧が上昇すると共にパワーＮＭＯＳトランジスターＱＣのゲート電圧も上昇し、端子ＶＭの電圧のマイナス分が減少する。更に充電が進みパワーダウンモードを脱するとパワーＮＭＯＳトランジスターＱＤがオンして端子ＶＭの電圧は略０Ｖとなる。
　【０１１３】
　電池Ａｂａｔ、Ｂｂａｔの電圧が両方とも過放電電圧以上になるとコンパレーターＣＯＭＰ１、ＣＯＭＰ２の出力端子の信号が両方ともＬレベル信号となり、ノアゲートＧ２の出力端子の信号がＨレベル信号になり、ナンドゲートＧ６の入力端子の信号がＨレベル信号となる。一方、ナンドゲートＧ５の入力端子の信号はＬレベル信号なのでナンドゲートＧ５の出力はＨレベル信号となって、ナンドゲートＧ６の２つの入力がＨレベル信号になるので、パワーダウン回路のラッチは反転してパワーダウンモードから脱する。
　【０１１４】
（６）パワーダウンモードからの復帰。
　パワーダウンモードからの復帰は、パワーダウン信号がＬレベルからＨレベルになることによって復帰することができる。
　【０１１５】
　尚、基準電圧値Ｅ１、Ｅ２、Ｅ３は、図６に示すように、基準電圧２０ｋが電池電圧２０ｄ、２０ｌ、２０ｍと共に立ち上がって定電圧になるようにすることによって容易に目的とする基準電圧値を得ることができる。
　【０１１６】
　この基準電圧値が確保できる電圧は、基準電圧値が１．５Ｖとすると最低でも電圧３Ｖ（基準電圧Ｅ１＋Ｅ２）は必要であり、その電圧値の検出範囲は、３Ｖ（基準電圧Ｅ１＋Ｅ２）〜４Ｖ（過充電電圧よりも少し下の値）であればよい。
　【０１１７】
（７）充電ロジック。
　　充電が開始すると、起動部からＨレベルの信号がノアゲートＧ７に入力され、Ｈレベル信号を出力し、ナンドゲートＧ１０の一方の入力条件とされ、他方の入力条件は過充電でなければグランドレベルシフトを介してＨレベル信号であるので、ナンドゲートＧ１０の入力条件はすべて満足され、Ｌレベル信号が出力され、ＰＭＯＳトランジスターＱ９をオンし、ＮＭＯＳトランジスターＱ１０をオフすることにより、端子ＯＶの信号がＨレベルになり、パワーＮＭＯＳトランジスターＱＣをオンさせ、充電電流が流れる。
　【０１１８】
　そして、起動部からのＨレベルの信号は、図５で示したように機械的に送出した信号であるので、端子ＣＯの信号はＨレベルを維持するので充電は継続する。
　【０１１９】
　上記充電が継続した状態に於て、もし、過充電状態となると過充電からの信号はＬレベルとなってグランドレベルシフト（後述する）をしてナンドゲートＧ１０に入力され入力条件が満足しなくなり、出力端子はＨレベルの信号となり、端子ＣＯの信号がＬレベルの信号になって、パワーＮＭＯＳトランジスターＱＣがオフし、充電電流は遮断される。
　【０１２０】
（８）グランドレベルシフトの説明。
　グランドレベルシフトについては図７及び図８によって説明する。このグランドレベルシフトとは、放電側グランド（電池のグランド端子ＶＳＳの電位）であるパワーＮＭＯＳトランジスターＱＤのソース電位と、充電側グランド（端子ＶＭの電位）であるパワーＮＭＯＳトランジスターＱＣのソース端子の電位とをシフトして同一電位にするものである。そして、図７は、前記説明した図３（第２実施例では図４）に示した全体回路図の内、パワーＮＭＯＳトランジスターＱＤとパワーＮＭＯＳトランジスターＱＣとを中心にした充放電回路であって、充電するパワーＮＭＯＳトランジスターＱＣと、放電するパワーＮＭＯＳトランジスターＱＤは夫々、端子ＶＭの電位、端子ＶＳＳの電位に対して０Ｖにしないと完全にオフする事ができない。
　【０１２１】
　この不都合を解決すべく充電ロジックに抵抗を設けて、所謂グランドレベルシフト機能を付加する。このグランドレベルシフトについて、図８を参照にして詳細に説明すると、図９は、前記説明した図３（又は図４）の充電ロジックのＭＯＳトランジスターをＱＰとＱＮとし、抵抗Ｒで表したものである。
　【０１２２】
　即ち、ｘ点である端子ＶＳＳの電位がＬレベルの信号の時に端子ＶＭの電位が、端子ＶＳＳの電位と同電位であれば、ＭＯＳトランジスターＱＰがオンし、ＭＯＳトランジスターＱＮがオフすることによってＯＵＴ信号がＨレベルとなり、何ら問題はない。しかし、もし抵抗Ｒを介在させない状態で端子ＶＭの電位が低くなると（充電中は必ずこの状態となる）、ＭＯＳトランジスターＱＮもオンしてしまい、ＭＯＳトランジスターＱＰとＭＯＳトランジスターＱＮが、共にオンとなってしまう、即ちショート状態となるので、ＯＵＴ信号のＨレベル状態が不確定状態のレベルとなり、更に、ショート電流がＭＯＳトランジスターＱＰとＭＯＳトランジスターＱＮ間に流れるという不都合が生じる。
　【０１２３】
　そこで、図８に示すように、ＭＯＳトランジスターＱＰとＭＯＳトランジスターＱＮの間に抵抗Ｒを介在させることによって、ＭＯＳトランジスターＱＮがオンしても、ｙ点がＬレベルとなるだけであって、ＯＵＴ信号のＨレベル状態は確保される。この抵抗Ｒにはショート電流が流れることになるので、抵抗値は数Ｋオーム〜数Ｍオームにする必要がある。尚、このショート電流は充電時だけ流れる。又、ｘ点がＨレベルの時は、端子ＶＭの電位が低くなっても、高くなってもＯＵＴ信号はＬレベル（即ち端子ＶＭの電位）となる。
　【０１２４】
（９）パワーダウンモード時における回路。
　パワーダウンモードに入ると各コンパレーターの出力は切り放され、夫々必要な信号状態になっている。即ち、過充電検出出力の信号はＬレベル、過放電検出出力の信号はＨレベル、過電流検出出力の信号はＬレベル、に維持され、適宜ＭＯＳトランジスター等を組み込んでパワーダウン信号により制御するようにできる。又、定電流回路のＮＭＯＳトランジスターＱ１３は、無負荷時における端子ＶＭの電圧を０Ｖにする回路であり、パワーダウンモードの時は当然にオフされている。
　【０１２５】
　そのほか、端子ＶＤＤ、ＣＰＵ、ＣＰＤ、ＶＳＳ、ＶＭについている抵抗Ｒ１０、Ｒ１１、Ｒ１２、Ｒ１３、Ｒ２２は保護用のものであり、基本的には抵抗による電位差は生じない。
　【０１２６】
　本発明に係る第３実施例は、図３及び図４に示したように、例えば充電用の端子をプラス端子側（Ｅｂ＋）とマイナス側端子（Ｅｂ−）とにした場合に、放電用端子をプラス側端子（Ｅｂ＋）とマイナス側端子（Ｅｂ−）とするように充電用端子と放電用端子を物理的に分離して充電及び放電の際の障害をなくす構成にする。
　【０１２７】
　【発明の効果】
　以上説明したように本発明のバッテリー保護回路は、以下のような効果を奏する。
（１）過放電の際にパワーダウンモードにすることによって、回路で消費する電流を極端に少なくすることができるため、残存容量による維持期間がきわめて長くすることができ、バッテリーの過放電状態を抑制して性能劣化を防止することができる。
　【０１２８】
（２）パワーダウンモードからの復帰にパワーダウン解除手段を設けることによって、自動的に通常状態への復帰が可能となるため、取扱いがきわめて簡単になる。
　【０１２９】
（３）直列につながれた二次電池の場合に過放電状態の検出を１又は全ての二次電池を適宜選択してパワーダウンモードにすることによって、各電池のバランス状態を考慮したパワーダウンモードを設定することによって、各電池の性能劣化を防止してバッテリーの寿命を延ばすことができる。
　【０１３０】
（４）パワーダウンモードの時に二次電池が０Ｖであっても、充電の強制手段を備えたことによって、例えば長時間放置されていても充電動作により自動的に充電ができる。
　【０１３１】
（５）一定条件によるパワーダウン禁止手段を備えたことによって、各電池の及ぼす相互作用を最小限に抑えることができるので、各電池の性能劣化を最小限に抑制することができる。
　【０１３２】
（６）瞬間的な大電流によるパワーダウンモードへ入ることを防止することによって、負荷の変動や、いわゆるショートによる外部からの瞬間的な変動による誤動作を回避して継続した使用をすることができる。
　【０１３３】
（７）各電池相互の過充放電のバランスをとることによって、バッテリー全体の寿命を長くすることができる。
　【０１３４】
（８）充電用端子と放電用端子を分離させることによって、充電及び放電の際の障害を防止することができる。
【図面の簡単な説明】
　【図１】
　本発明に係るバッテリー保護回路の全体ブロックダイヤグラム図である。
　【図２】
　同、バッテリー放電特性をグラフで表した説明図である。
　【図３】
　同、バッテリー保護回路の全体回路図である。
　【図４】
　同、第２実施例のバッテリー保護回路の全体回路図である。
　【図５】
　同、起動部の略示的説明図である。
　【図６】
　同、基準電圧と過充電過放電検出関係の内、基準電圧が電池電圧と共に立ち上がって定電圧となる場合を示したグラフである。
　【図７】
　同、パワーＭＯＳトランジスターのグランド（ＧＮＤ）の様子を示した説明図である。
　【図８】
　図７で示したグランド（ＧＮＤ）をシフトして同電位にする、所謂グランドレベルシフトの例をブロック図で示した説明図である。
　【符号の説明】
　１　　バッテリー保護回路
　２　　検出部
　３　　制御部
　４　　復帰部
　５　　パワーダウンＳＷ部
　６　　充放電スイッチ部
　７　　電池電圧検出部
　８　　過電流検出部
　９　　放電系制御ロジック部
　１０　　放電ＳＷ制御部
　１１　　ＧＮＤレベルシフト部
　１２　　充電系制御ロジック部
　１３　　充電ＳＷ制御部
　１４　　パワーダウン制御部
　１５　　起動回路充電検出部
　１６　　放電カーブ
　１７　　過放電電圧値
　１８　　過放電領域
　１９　　残存容量
　２０、２１　　放電方向
　２３　　ヒューズ
　２４　　ボタン
　２５　　接点
　２６　　スプリング
　２７　　ＧＮＤレベルシフト部
　２８　　起動部
　２９　　過充電領域
　３０　　電池電圧
　３１　　基準電圧の変化
　３２、３３　　比較電圧
　Ａｂａｔ、Ｂｂａｔ　　電池
　ＣＯＭＰ１〜ＣＯＭＰ５　　コンパレーター
　Ｃ２　　キャパシター
　Ｃ３　　平滑用キャパシター
　Ｄ１、Ｄ２　　寄生ダイオード
　Ｅｂ＋　　プラス側端子
　Ｅｂ−　　マイナス側端子
　Ｇ２、Ｇ８、Ｇ９、Ｇ１７　　ノアゲート
　Ｇ３、Ｇ７、Ｇ１２、Ｇ１５　　ノットゲート
　Ｇ１、Ｇ１１、Ｇ１３、Ｇ１６　　アンドゲート
　Ｇ４、Ｇ５、Ｇ６、Ｇ１０　　ナンドゲート
　Ｇ１４　　オアゲート
　ＰＤＳＷ１〜３　　パワーダウンスイッチ
　Ｑ１〜Ｑ１５　　ＭＯＳトランジスター
　ＱＣ、ＱＤ　　パワーＭＯＳトランジスター
　ＣＰＵ，ＶＤＤ、ＶＣ、ＣＰＤ、ＶＳＳ、ＤＯ、ＯＶ、ＶＭ　　端子